(57)【要約】  信号分離部（１０２）から取り出した番組情報データを用いて付加音声生成部（１０８）で番組情報読み上げ用の音声を生成するとき、選局操作入力部（１１５）からの選局指示と番組情報の読み上げ状態に基づいて、制御部（１１６）は付加音声生成部（１０８）に対して読み上げの継続と停止を制御するとともに、受信選局部（１０１）、信号分離部（１０２）に対して番組選局の実施を制御する。
2011142129.tif 000002
【特許請求の範囲】
【請求項１】
放送信号を選局する受信選局部と、
選局された前記放送信号を番組映像データと番組音声データと番組情報を表す番組情報データとに分離する信号分離部と、
前記番組映像データをデコードして番組映像信号を出力する映像デコーダ部と、
前記番組音声データをデコードして番組音声信号を出力する音声デコーダ部と、
前記番組情報データを項目毎に優先度を付与して優先度別グループとして管理する記憶部と、
前記番組情報データを用いて番組情報読み上げ音声を生成する付加音声生成部と、
前記番組情報データを用いて番組情報画像を生成する付加画像生成部と、
前記番組音声信号と前記番組情報読み上げ音声を合成して出力する音声合成部と、
前記番組映像信号と前記番組情報画像を合成して出力する映像合成部と、
使用者による選局操作を入力する選局操作入力部と、
前記選局操作入力部に視聴中番組を前記視聴中番組以外の他の番組に切り替える選局操作が入力された場合に、前記視聴中番組の番組情報データにおいて所定優先度以上の優先度別グループが前記付加音声生成部から番組情報読み上げ音声として出力されたか否かを判断し、判断結果に応じて前記視聴中番組の番組情報読み上げ音声の出力継続または出力停止を制御する制御部と、を具備することを特徴とするデジタル放送受信装置。
【請求項２】
前記制御部は、前記付加音声生成部が前記所定優先度以上の優先度別グループに含まれる項目の音声読み上げ中は、前記所定優先度以上の優先度別グループ内のすべての項目の読み上げを終了するまでは前記選局操作入力部における前記他の番組への選局操作を保留するよう制御する、ことを特徴とする請求項１に記載のデジタル放送受信装置。
【請求項３】
視聴予約機能あるいは録画予約機能を有する録画予約制御部をさらに備え、
前記視聴中番組の番組情報データを音声読み上げ中に、前記録画予約制御部によって前記視聴中番組が視聴予約した番組あるいは録画予約した番組に切り替わる場合に、前記制御部は、前記視聴中番組の番組情報データの音声読み上げを中断し、前記視聴予約した番組あるいは前記録画予約した番組に対応する番組情報データの音声読み上げ終了後に、前記視聴中番組の番組情報データの音声読み上げを再開する、ことを特徴とする請求項１に記載のデジタル放送受信装置。
【請求項４】
外部機器の映像信号を入力する機器間通信制御部をさらに備え、
前記視聴中番組の番組情報データを音声読み上げ中に、前記機器間通信制御部によって前記視聴中番組が前記外部機器の映像信号に切り替わる場合に、前記制御部は、前記視聴中番組の番組情報データの音声読み上げを中断し、前記外部機器の映像信号に対応する所定の情報の音声読み上げ終了後に、前記視聴中番組の番組情報データの音声読み上げを再開する、ことを特徴とする請求項１に記載のデジタル放送受信装置。
【請求項５】
放送信号を選局する受信選局ステップと、
放送信号を番組映像データと番組音声データと番組情報を表す番組情報データとに分離する信号分離ステップと、
前記番組情報データを項目毎に優先度を付与して優先度別グループとして管理する記憶ステップと、
前記番組情報データを用いて番組情報読み上げ音声を生成する付加音声生成ステップと、
前記番組情報データを用いて番組情報画像を生成する付加画像生成ステップと、
前記番組音声信号と前記番組情報読み上げ音声を合成して出力する音声合成ステップと、
前記番組映像信号と前記番組情報画像を合成して出力する映像合成ステップと、
使用者による選局操作を入力する選局操作入力ステップと、
前記選局操作入力ステップにおいて視聴中番組を前記視聴中番組以外の他の番組に切り替える選局操作が入力された場合に、前記視聴中番組の番組情報データにおいて所定優先度以上の優先度別グループが前記付加音声生成ステップにおいて番組情報読み上げ音声として出力されたか否かを判断し、判断結果に応じて前記視聴中番組の番組情報読み上げ音声の出力継続または出力停止を制御する制御ステップと、を含むことを特徴とするデジタル放送受信方法。
【請求項６】
前記制御ステップは、前記付加音声生成ステップにおいて前記所定優先度以上の優先度別グループに含まれる項目の音声読み上げ中は、前記所定優先度以上の優先度別グループ内のすべての項目の読み上げを終了するまでは前記選局操作入力ステップにおける前記他の番組への選局操作を保留するよう制御する、ことを特徴とする請求項５に記載のデジタル放送受信方法。
【請求項７】
視聴予約機能あるいは録画予約機能を有する録画予約制御ステップをさらに備え、
前記視聴中番組の番組情報データを音声読み上げ中に、前記録画予約制御ステップにおいて前記視聴中番組が視聴予約した番組あるいは録画予約した番組に切り替わる場合に、前記制御ステップは、前記視聴中番組の番組情報データの音声読み上げを中断し、前記視聴予約した番組あるいは前記録画予約した番組に対応する番組情報データの音声読み上げ終了後に、前記視聴中番組の番組情報データの音声読み上げを再開する、ことを特徴とする請求項５に記載のデジタル放送受信方法。
【請求項８】
外部機器の映像信号を入力する機器間通信制御ステップをさらに備え、
前記視聴中番組の番組情報データを音声読み上げ中に、前記機器間通信制御ステップにおいて前記視聴中番組が前記外部機器の映像信号に切り替わる場合に、前記制御ステップは、前記視聴中番組の番組情報データの音声読み上げを中断し、前記外部機器の映像信号に対応する所定の情報の音声読み上げ終了後に、前記視聴中番組の番組情報データの音声読み上げを再開する、ことを特徴とする請求項５に記載のデジタル放送受信方法。
【発明の詳細な説明】
【技術分野】
【０００１】
本発明は、番組情報が表示された補助画面や電子番組表（以下、「ＥＰＧ」と呼ぶ）の内容を音声で読み上げて視聴者に伝える機能を有するデジタル放送受信装置及びデジタル放送受信方法に関する。
【背景技術】
【０００２】
近年のデジタル放送受信装置やテレビ放送番組を録画する放送録画装置では、放送番組の映像音声信号に多重されて送られてくるデータ信号を用いて、放送番組の番組情報を番組画面中の一部に補助画面として表示する機能や、画面全体に番組表を表示するＥＰＧ機能が広く普及して搭載されている。視聴者は新聞や雑誌の番組欄を開けることなく、現在放送中あるいは今後放送予定の番組を簡単に把握できるとともに、見逃しを防ぐための視聴予約や、不在時などに希望番組を録画するための録画予約を簡単な操作で行えるという大きな利点がある。【０００３】
一方、視力が著しく低下した視聴者や、視覚に障害を持つ視聴者にとっては、比較的小さな文字でぎっしり書き込まれた補助画面やＥＰＧ画面は大変見づらく、使い勝手の悪いものになっている。【０００４】
そこで特許文献１および特許文献２では、ＥＰＧに用いられる番組情報を音声再生することにより視聴者の操作性の向上を実現している。すなわち視聴者がＥＰＧ画面を表示させ、画面中の特定の番組をカーソル移動などにより選択する操作を行うと、選択された番組の概要情報を表示するとともに、その概要情報を音声によってスピーカーから再生させることを提案している。
【先行技術文献】
【特許文献】
【０００５】
【特許文献１】特開２０００−３２４４１７号公報
【特許文献２】特開２０００−１２５２２１号公報
【発明の概要】
【発明が解決しようとする課題】
【０００６】
前述のように、特許文献１および特許文献２による方法を用いれば、ＥＰＧ画面などの細かい文字を読むことなく、番組情報を聴取によって得られるという視聴者にとって使い勝手のよい操作環境を提供することが可能になっている。【０００７】
しかしながらそれらによる方法では、番組情報の読み上げ中に選局操作やＥＰＧ画面中でのカーソル位置変更操作を行うと、その読み上げが中断されて別の番組の番組情報の読み上げに移ってしまうという動作が一般的であった。【０００８】
例えば図１０で、デジタル放送受信装置の表示部１１３で選局中の番組画面４０１を表示させながら、表示部１１３の右上に選局中の番組に対応した番組情報をオンスクリーン表示させた補助画面４０２を表示させたとする。補助画面４０２の中には、たとえばチャンネル番号、放送局名、番組名、開始・終了時間、番組の概要などが表示される。【０００９】
補助画面４０２が表示されると同時に、音声読み上げ機能により表示内容の読み上げが開始される。この読み上げの途中で、使用者が選局操作を行い、他の放送局の番組を選択すると、表示部１１３の番組画面４０１も補助画面４０２の番組情報も新たに選択された番組の内容に変更される。音声読み上げも補助画面４０２の更新に伴い新たな補助画面４０２の番組情報の読み上げを開始する。【００１０】
一般に表示された文字情報を視覚的に読み取るのに必要な時間に比べて、それを読み上げる時間は長くかかるため、補助画面４０２を一瞥してほぼ把握したと感じて他の放送局への選局操作を行った時点では、補助画面４０２の音声読み上げは完了しておらず、読み上げ途中であることがしばしば生じる。また視覚的な読み取りでは、見落としや読み間違いが起こりやすいのに比べ、音声聞き取りでは全文を必ず読み上げていくこと、およびその読み上げ速度が視覚的読み取りよりも低いこともあって、聞き落としや聞き間違えの確率が低い。そのため視覚的に把握したと感じて次の選局に移る操作を行う直前に、読み上げ内容を聞いて番組の重要性や興味の高さに気付き、最後まで聞き取ろうと行動変更の必要が出てくることが起こる。しかし選局操作が先行してしまい、新たな番組を選択後にもう一度直前の番組に戻る操作を行わなければならない事態が生じる。【００１１】
また使用者がＥＰＧ機能を使って選局する場合にも同様の問題が発生する。すなわち、この場合には表示部１１３には図１１に示すＥＰＧ画面４０３が表示され、例えば、カーソル４０４で選択された番組Ｃ２がハイライト表示されて、番組Ｃ２の番組情報が音声で読み上げられる。番組Ｃ２の番組情報の読み上げ途中で、使用者がカーソル移動で他の放送局の番組を選択すると、番組Ｃ２の番組情報の読み上げが終了する前に、新しく選択された番組の番組情報の読み上げを開始する。【００１２】
音声読み上げが中断される場合としては、上記の使用者による選局操作だけでなく、次のような場合もある。放送途中に緊急放送などで、割り込みの音声が入ったり、あるいは強制的に他の局への選局が行われる場合がある。あるいは録画機能を内蔵したデジタル放送受信装置であって、設定した録画予約時間になったときに視聴中の番組から予約した番組に選局が変更される場合がある。また他の例としては、使用者がデジタル放送受信装置の入力切り替え動作によって、放送番組視聴から例えばＤＶＤプレーヤやケーブルテレビジョン受信装置からの映像信号に切り替えた場合などでも音声読み上げが中断されてしまう。【００１３】
本発明はこのような課題を解決するためになされたものであり、補助画面やＥＰＧなどに表示されている番組情報の音声読み上げ中に新たな選局操作が行われた場合でも、必要最低限の番組情報は必ず音声読み上げを行うことができるデジタル放送受信装置及びデジタル放送受信方法を提供することを目的とする。
【課題を解決するための手段】
【００１４】
上記目的を達成するために、本発明の第１の局面におけるデジタル放送受信装置は、放送信号を選局する受信選局部と、選局された放送信号を番組映像データと番組音声データと番組情報を表す番組情報データとに分離する信号分離部と、番組映像データをデコードして番組映像信号を出力する映像デコーダ部と、番組音声データをデコードして番組音声信号を出力する音声デコーダ部と、番組情報データを項目毎に優先度を付与して優先度別グループとして管理する記憶部と、番組情報データを用いて番組情報読み上げ音声を生成する付加音声生成部と、番組情報データを用いて番組情報画像を生成する付加画像生成部と、番組音声信号と番組情報読み上げ音声を合成して出力する音声合成部と、番組映像信号と番組情報画像を合成して出力する映像合成部と、使用者による選局操作を入力する選局操作入力部と、選局操作入力部に視聴中番組を視聴中番組以外の他の番組に切り替える選局操作が入力された場合に、視聴中番組の番組情報データにおいて所定優先度以上の優先度別グループが付加音声生成部から番組情報読み上げ音声として出力されたか否かを判断し、判断結果に応じて視聴中番組の番組情報読み上げ音声の出力継続または出力停止を制御する制御部と、を具備することを特徴とする。【００１５】
これにより、番組情報の読み上げ中に他の映像コンテンツに表示が切り替わった場合であっても、番組情報中の重要情報を読み上げる機会を確保した番組情報読み上げ機能を実現できる。【００１６】
また本発明の第２の局面におけるデジタル放送受信装置では、本発明の第１の局面におけるデジタル放送受信装置において、制御部は、付加音声生成部が所定優先度以上の優先度別グループに含まれる項目の音声読み上げ中は、所定優先度以上の優先度別グループ内のすべての項目の読み上げを終了するまでは選局操作入力部における他の番組への選局操作を保留するよう制御する、ことを特徴とする。【００１７】
これにより、番組情報の読み上げ中に他の番組に移る選局操作をした場合でも、区切りの良いところまでの読み上げを優先して行うことができる。【００１８】
また本発明の第３の局面におけるデジタル放送受信装置では、本発明の第１の局面におけるデジタル放送受信装置において、視聴予約機能あるいは録画予約機能を有する録画予約制御部をさらに備え、視聴中番組の番組情報データを音声読み上げ中に、録画予約制御部によって視聴中番組が視聴予約した番組あるいは録画予約した番組に切り替わる場合に、制御部は、視聴中番組の番組情報データの音声読み上げを中断し、視聴予約した番組あるいは録画予約した番組に対応する番組情報データの音声読み上げ終了後に、視聴中番組の番組情報データの音声読み上げを再開する、ことを特徴とする。【００１９】
これにより、番組情報の読み上げ中に予約番組に切り替わった場合でも、一旦予約番組の読み上げに変更するが、その後もとの番組情報の読み上げに復帰して、読み上げを完了することができる。【００２０】
また本発明の第４の局面におけるデジタル放送受信装置では、本発明の第１の局面におけるデジタル放送受信装置において、外部機器の映像信号を入力する機器間通信制御部をさらに備え、視聴中番組の番組情報データを音声読み上げ中に、機器間通信制御部によって視聴中番組が外部機器の映像信号に切り替わる場合に、制御部は、視聴中番組の番組情報データの音声読み上げを中断し、外部機器の映像信号に対応する所定の情報の音声読み上げ終了後に、視聴中番組の番組情報データの音声読み上げを再開する、ことを特徴とする。【００２１】
これにより、番組情報の読み上げ中にデジタル放送受信装置の外部映像入力に切替えた場合でも、一旦外部映像機器名などの読み上げに変更するが、その後もとの番組情報の読み上げを再開して、読み上げを完了することができる。【００２２】
本発明の第５の局面におけるデジタル放送受信方法は、放送信号を選局する受信選局ステップと、放送信号を番組映像データと番組音声データと番組情報を表す番組情報データとに分離する信号分離ステップと、番組情報データを項目毎に優先度を付与して優先度別グループとして管理する記憶ステップと、番組情報データを用いて番組情報読み上げ音声を生成する付加音声生成ステップと、番組情報データを用いて番組情報画像を生成する付加画像生成ステップと、番組音声信号と番組情報読み上げ音声を合成して出力する音声合成ステップと、番組映像信号と番組情報画像を合成して出力する映像合成ステップと、使用者による選局操作を入力する選局操作入力ステップと、選局操作入力ステップにおいて視聴中番組を視聴中番組以外の他の番組に切り替える選局操作が入力された場合に、視聴中番組の番組情報データにおいて所定優先度以上の優先度別グループが付加音声生成ステップにおいて番組情報読み上げ音声として出力されたか否かを判断し、判断結果に応じて視聴中番組の番組情報読み上げ音声の出力継続または出力停止を制御する制御ステップと、を含むことを特徴とする。【００２３】
また本発明の第６の局面におけるデジタル放送受信方法では、本発明の第５の局面におけるデジタル放送受信方法において、制御ステップは、付加音声生成ステップにおいて所定優先度以上の優先度別グループに含まれる項目の音声読み上げ中は、所定優先度以上の優先度別グループ内のすべての項目の読み上げを終了するまでは選局操作入力ステップにおける他の番組への選局操作を保留するよう制御する、ことを特徴とする。【００２４】
また本発明の第７の局面におけるデジタル放送受信方法では、本発明の第５の局面におけるデジタル放送受信方法において、視聴予約機能あるいは録画予約機能を有する録画予約制御ステップをさらに備え、視聴中番組の番組情報データを音声読み上げ中に、録画予約制御ステップにおいて視聴中番組が視聴予約した番組あるいは録画予約した番組に切り替わる場合に、制御ステップは、視聴中番組の番組情報データの音声読み上げを中断し、視聴予約した番組あるいは録画予約した番組に対応する番組情報データの音声読み上げ終了後に、視聴中番組の番組情報データの音声読み上げを再開する、ことを特徴とする。【００２５】
また本発明の第８の局面におけるデジタル放送受信方法では、本発明の第５の局面におけるデジタル放送受信方法において、外部機器の映像信号を入力する機器間通信制御ステップをさらに備え、視聴中番組の番組情報データを音声読み上げ中に、機器間通信制御ステップにおいて視聴中番組が外部機器の映像信号に切り替わる場合に、制御ステップは、視聴中番組の番組情報データの音声読み上げを中断し、外部機器の映像信号に対応する所定の情報の音声読み上げ終了後に、視聴中番組の番組情報データの音声読み上げを再開する、ことを特徴とする。
【発明の効果】
【００２６】
本発明によれば、補助画面やＥＰＧなどに表示されている番組情報の音声読み上げ中に新たな選局操作が行われた場合でも、必要最低限の番組情報は必ず音声読み上げを行うことができる。
【図面の簡単な説明】
【００２７】
【図１】図１は、本発明の実施の形態１におけるデジタル放送受信装置の構成例を示すブロック図である。
【図２】図２は、本発明の実施の形態１におけるデジタル放送受信装置の動作を示すフローチャートである。
【図３】図３は、デジタル放送におけるＴＳのデータ構造を示す図である。
【図４】図４は、デジタル放送における番組情報データのうちサービス情報のデータ構造を示す図である。
【図５】図５は、デジタル放送における番組情報データのうち番組関連情報のデータ構造を示す図である。
【図６】図６は、本発明の実施の形態２におけるデジタル放送受信装置の構成例を示すブロック図である。
【図７】図７は、本発明の実施の形態２におけるデジタル放送受信装置の動作を示すフローチャートである。
【図８】図８は、本発明の実施の形態３におけるデジタル放送受信装置の構成例を示すブロック図である。
【図９】図９は、本発明の実施の形態３におけるデジタル放送受信装置の動作を示すフローチャートである。
【図１０】図１０は、番組情報を表示する補助画面のイメージ図である。
【図１１】図１１は、番組情報を表示するＥＰＧ画面のイメージ図である。
【発明を実施するための形態】
【００２８】
以下、本発明の実施の形態におけるデジタル放送受信装置について、図面を参照しながら説明する。
【００２９】
（実施の形態１）
図１は本発明の実施の形態１におけるデジタル放送受信装置１００の構成例を示すブロック図である。デジタル放送受信装置１００は、受信選局部１０１、信号分離部１０２、映像デコーダ部１０３、音声デコーダ部１０４、番組情報選択部１０５、記憶部１０６、付加画像生成部１０７、付加音声生成部１０８、映像合成部１０９、音声合成部１１０、映像出力部１１１、音声出力部１１２、表示部１１３、スピーカー１１４、選局操作入力部１１５、制御部１１６を備えている。
【００３０】
受信された放送波は受信選局部１０１において高周波増幅、選局、復調されてデジタル信号ストリームであるトランスポート・ストリーム（以下、「ＴＳ」と呼ぶ）が出力される。ＴＳは図３に示すように、ＴＳヘッダ部とＴＳペイロード部で構成され、ＴＳペイロード部は放送番組の番組映像データ、番組音声データ、および番組情報データを含んで送信されている。
【００３１】
ＴＳは信号分離部１０２において、番組映像データ、番組音声データ、および番組情報データに分離される。このうち番組映像データは映像デコーダ部１０３において非圧縮のデジタル映像信号（番組映像信号）として出力される。同様に番組音声データは音声デコーダ部１０４において非圧縮のデジタル音声信号（番組音声信号）として出力される。わが国のデジタルテレビ放送では映像、音声の圧縮として主にＭＰＥＧ方式が採用されているので、映像デコーダ部１０３、音声デコーダ部１０４は通常、ＭＰＥＧ方式のデコーダとなる。
【００３２】
信号分離部１０２から取り出される番組情報データは、サービス情報と番組関連情報とによって構成され、それぞれの詳細なデータ構造を図４と図５に示す。まずサービス情報のデータ構造を図４に示す。全体はＳＤＴ（Ｓｅｒｖｉｃｅ  Ｄｅｓｃｒｉｐｔｉｏｎ  Ｔａｂｌｅ：サービス記述テーブル）識別情報部と、サービス情報部で構成される。ＳＤＴ識別情報は、ＴＳに含まれるサービスに関連する情報を定義するデータである。ＳＤＴ識別情報部はＳＤＴ識別ＩＤとＳＤＴデータ長に引き続き、ＴＳ識別ＩＤで構成される。サービス情報は、サービス識別ＩＤ、サービス形式種別ＩＤ（サービスの種類（テレビ放送サービス、データ放送サービスなど）を識別するＩＤ）、サービス名長、サービス名などから構成される。
【００３３】
次に番組関連情報のデータ構成を図５に示す。全体はＥＩＴ（Ｅｖｅｎｔ  Ｉｎｆｏｒｍａｔｉｏｎ  Ｔａｂｌｅ：イベント情報テーブル）識別情報部と、番組情報部で構成される。ＥＩＴ識別情報は、サービスに含まれる番組に関連する情報を定義するデータである。ＥＩＴ識別情報部はＥＩＴ識別ＩＤとＥＩＴデータ長に引き続き、サービス識別ＩＤ（サービスを区別し、識別するためのＩＤ）とＴＳ識別ＩＤで構成される。番組情報は、番組識別ＩＤ、開始時刻、継続時間、番組名、番組詳細情報、などから構成される。
【００３４】
番組情報データは番組情報選択部１０５において使用者の選局操作に応じた番組情報が選択される。また番組情報は記憶部１０６に保存される。付加画像生成部１０７は、選択された番組情報に基づいて主に文字情報からなる付加画像を生成する。付加音声生成部１０８は、選択された番組情報に基づいて番組情報を読み上げるための付加音声を生成する。
【００３５】
映像合成部１０９は、番組映像と付加画像を合成する。ここで合成とは両者の信号を多重する機能、あるいは切替えていずれかを選択して出力する機能を示す。また音声合成部１１０は、番組音声と付加音声を合成する。ここで合成とは、上記の映像の場合と同様に、両者の信号を多重する機能、あるいは切替えていずれかを選択して出力する機能を示す。
【００３６】
映像出力部１１１は映像合成部１０９からの映像信号（番組映像＋付加映像）を所定の表示フォーマットに変換して表示部１１３に出力する。表示部１１３は表示デバイスであり、例えば液晶表示パネルやプラズマ表示パネルが使用される。音声出力部１１２は音声合成部１１０からの音声信号（番組音声＋付加音声）をアナログ信号に変換、増幅して音声再生部であるスピーカー１１４に出力する。スピーカー１１４は単一のスピーカーの場合もあるが、多くの場合はステレオ再生や、立体音響再生のために複数のスピーカーユニットの組合せが用いられる。
【００３７】
選局操作入力部１１５は、使用者の操作によって希望する放送局を選択するための入力手段であり、多くの場合、デジタル放送受信装置１００に付属したリモートコントロールユニットが用いられる。この場合は、厳密には選局操作入力部１１５はデジタル放送受信装置１００の外側に記載されるのが適切であるが、デジタル放送受信装置１００の機能の一部であるので、機能上装置の内部に記載している。
【００３８】
制御部１１６は、受信選局部１０１、信号分離部１０２、番組情報選択部１０５、付加画像生成部１０７、付加音声生成部１０８を制御する。いわゆるマイクロプロセッサによって実現される。実際のデジタル放送受信装置１００においては、装置内の多くの制御に関する機能を受け持つが、ここでは本発明に関わる機能についてのみ記載する。
【００３９】
以上の構成において、デジタル放送受信装置１００の動作を述べる。使用者は選局操作入力部１１５を操作して希望のチャンネル、すなわち希望の放送局を選局する。この選局操作は、通常は数字キーの押し釦操作、あるいはアップダウン釦操作によって行われる。あるいは放送波から取得した番組情報を利用して生成されたＥＰＧの表示画面におけるカーソル操作によって行われる。ＥＰＧについては既に広く普及しているので詳しく述べる必要はないが、あたかも新聞のテレビ番組欄のような表示をデジタル放送受信装置１００の画面上に表示させて、その表示内の番組をカーソルで選択することにより選局を行ったり、視聴予約、録画予約を行ったりする機能を提供する画面を指す。
【００４０】
制御部１１６は選局操作入力部１１５における操作内容を読み込んで受信選局部１０１の選局動作および信号分離部１０２の分離動作を制御する。信号分離部１０２に対して番組選択を制御するのは、１つのＴＳの中に複数の番組が含まれる場合があるので、その中の１番組を選択するのは信号分離部１０２での動作を用いるためである。また同じく信号分離部１０２に対してサービス選択を指示するのは、再生したい放送コンテンツの種類として、通常のテレビ放送だけでなく、音声専用放送や、データ放送があり、このいずれを選ぶかによって、実際に使用するＴＳ中のデータが異なるためである。
【００４１】
信号分離部１０２で分離された番組映像データ、および番組音声データは、それぞれ映像デコーダ部１０３、音声デコーダ部１０４で復号される。一方、番組情報データは、通常ＥＰＧ画面を生成するために、全ての放送局分、そして数日分の番組情報を含んでいるので、一旦記憶部１０６に保存される。保存された番組情報の中の指定された番組に該当する情報が番組情報選択部１０５において選択される。選択された番組情報に基づいて、付加画像生成部１０７において、表示部１１３に表示するための画像が生成される。前述したように、特定の番組の番組情報を番組映像表示に重畳する場合には、図１０に記載したような補助画面４０２の表示となる。またＥＰＧ画面４０３を表示させる場合には、図１１に示したように、選択した番組の部分が背景色を変化させるなどの方法でハイライト表示される。
【００４２】
一方、音声に関しては、選択された番組情報に基づいて、付加音声生成部１０８において、スピーカー１１４で読み上げるための音声が生成される。
【００４３】
生成された付加画像や付加音声はそれぞれ、映像合成部１０９、音声合成部１１０で合成され、映像出力部１１１、音声出力部１１２を介して、表示部１１３、スピーカー１１４に出力される。映像信号の合成は、図１０のように多重される場合と、図１１のように切替えてＥＰＧ表示される場合があるが、音声の場合は多重されると聞き取りにくくなるので、付加音声に切替えてスピーカー再生されるのが一般的である。なお、番組音声と付加音声を切り替える方法以外にも、番組音声と付加音声とを所定の音量割合で合成して合成音声としてスピーカー再生するようにしてもよい。
【００４４】
このように選局操作入力部１１５で特定の番組を選択すると、その番組の番組情報が表示されるとともに、スピーカー１１４において番組情報が読み上げられ始める。この読み上げが開始され、読み上げが完了してから次の選局操作が行われる場合であれば、単に前述の動作を新たに選択された番組について同様に実行すればよいが、読み上げ途中に新たな選局操作が行われたときには、読み上げの中断あるいは継続を適切に実施することが必要である。
【００４５】
図２は本実施の形態におけるデジタル放送受信装置１００の音声読み上げ制御に関するフローチャートを示す。まずこのフローチャートの動作に入る前に、読み上げ対象となる番組情報の項目をいくつかのグループに分類しておく。このグループは番組情報に含まれる項目を、利用者にとって重要と思われる優先度に応じて分類することによって形成される。当該優先度は、利用者に通知すべき重要度に応じて予め設定されていても構わないし、例えば、利用者の使用状況に応じて自由に設定変更できる構成であっても構わない。図２では３つのグループに分類されることを想定しており、例えば第１優先グループには「放送局名」を、第２優先グループには「番組名」と「放送開始・終了時刻」を、第３優先グループには「出演者」と「番組要旨」を割り当てておく、などという分類を行う。このように定義した分類は、あらかじめ制御部１１６に設定しておき、放送波から番組情報を入力する都度、分類して記憶部１０６に保存すればよい。
【００４６】
図２で、まずステップＳ１０１で使用者が希望番組の選択を行うと、ステップＳ１０２で指示された番組情報のうち第１優先度グループの項目を記憶部１０６から取得する。ここで使用者による番組の選択とは、例えばチャンネル番号の入力、チャンネルのアップダウン操作、あるいは図１１に示したＥＰＧ画面４０３によるカーソル移動で行われる。次にステップＳ１０３で第１優先度グループの項目を音声データ化して読み上げる。この後で、ステップＳ１０４で追加の選局要求があるか検出する。選局要求があれば（「ＹＥＳ」の場合）、ステップＳ１０５で指示番組を更新してステップＳ１０１に戻り、新たな番組の番組情報取得を行う。この手順により、第１優先グループの項目が読み上げ終了するまでは選局操作による新たな番組の番組情報読み上げに移らないので、最も高い優先度の項目は中断されることなく必ず読み上げられることになる。
【００４７】
ステップＳ１０４で選局要求がなければ（「ＮＯ」の場合）、ステップＳ１０６、Ｓ１０７、Ｓ１０８により、今度は第２優先度グループの項目読み上げが実行される。第１優先度グループの読み上げの場合と同様に、このグループの読み上げが一旦始まれば、読み切るまでは新たな選局要求を検出しないので、第２優先度グループの項目は中断されることなく読み上げられることになる。ステップＳ１０８で選局要求があれば（「ＹＥＳ」の場合）、ステップＳ１０５で指示番組を更新してステップＳ１０１に戻り、新たな番組の番組情報取得を行う。
【００４８】
ステップＳ１０８で選局要求がなければ（「ＮＯ」の場合）、ステップＳ１０９、Ｓ１１０により、第３優先度グループの項目読み上げが実行され、番組情報の全項目の読みあげを完了する。この時点でステップＳ１１１に移り、受信選局部１０１、信号分離部１０２に対して選局、あるいはサービス選択の指示を出す。
【００４９】
すなわちこの時点で、表示部１１３、スピーカー１１４から新たな放送番組が再生される。ステップＳ１０５におけるチャンネルの更新は、実際の選局動作には反映せず、新たな番組の番組情報の取得にとどまる。図１１のＥＰＧ画面４０３での操作の場合を例に取ると、カーソル４０４を移動する動作には反映させ、それに応じた読み上げが行われるが、実際の放送局や番組の更新が行われて新たな映像音声の再生が行われるのはステップＳ１１１が実行されるときである。
【００５０】
なお図２のフローチャートは番組情報の読み上げに関する機能について説明したものであるので、番組情報の表示については記載していないが、選択番組の更新に伴って、例えば図１０の補助画面４０２の表示や、図１１のＥＰＧ画面中のカーソル位置を変化させる。
【００５１】
このように本実施の形態におけるデジタル放送受信装置１００によれば、補助画面やＥＰＧなどに表示されている番組情報の音声読み上げ中に新たな選局操作が行われた場合でも、必要最低限の番組情報は必ず音声読み上げを行うことが可能となる。
【００５２】
なお、上記実施の形態１では読み上げ対象となる番組情報の項目を優先度の異なる３つのグループに分類しておくとしたが、あくまで一例あり、グループの数はこれに限定されるものではない。また、何を優先するかは使用者が指定できるようにしてもよい。
【００５３】
（実施の形態２）
図６は本発明の実施の形態２におけるデジタル放送受信装置２００の構成例を示すブロック図である。録画予約機能（視聴予約機能を含む）を備えたデジタル放送受信装置２００は、録画予約制御部１２０が追加された点、およびその録画予約制御部１２０の動作に関する制御機能を加えた制御を行うために制御部１１６が制御部１２１に変更された点以外は、実施の形態１で説明した図１のデジタル放送受信装置１００と同様の構成である。ここでは、デジタル放送受信装置１００と同様の構成については、同様の機能であるため説明を省略し、デジタル放送受信装置１００と異なる構成について、詳しく説明する。
【００５４】
ある番組の番組情報を付加音声生成部１０８が付加音声を生成中、すなわち番組情報の読み上げ中に、録画予約、あるいは視聴予約した時刻になった場合（以下、視聴予約も含めて録画予約と記載する）、録画予約制御部１２０がその予約番組を選局するために、選局指示を制御部１２１に出力する。録画予約機能は設定時刻になると時刻に正確に動作しなければならないので、制御部１２１は付加音声生成部１０８における現番組の番組情報の読み上げを停止させる。同時に読み上げを中止したことを示す読上げ停止フラグを記憶部１０６に保存する。
【００５５】
引き続いて、制御部１２１は録画予約制御部１２０からの選局指示に従い受信選局部１０１、および信号分離部１０２を制御する。これにより予約された番組の受信と再生が始まり、これに合わせて予約された番組の番組情報が記憶部１０６から読み出される。予約された（選択された）番組の番組情報は、番組情報選択部１０５から出力されて、付加画像生成部１０７で画像生成されて表示される一方、付加音声生成部１０８から出力されて読み上げられる。読み上げが終了すると、制御部１２１は記憶部１０６の中に読み上げ停止フラグが保存されていないか検出し、保存されていれば、予約番組選局の直前に読み上げていた番組の番組情報を、中断されていた項目から読み上げ再開する。これにより、読み上げが開始された番組情報は、一旦録画予約機能などで中断されても、中断ののち再開して読み切ることが可能となる。
【００５６】
図７は図６の構成例によるデジタル放送受信装置２００の番組情報読み上げ動作を説明するフローチャートである。ステップＳ２０１で設定した録画予約時間であるかを検出する。録画予約時間になると（ステップＳ２０１で「ＹＥＳ」の場合）、ステップＳ２０２で番組情報の読み上げ中か否かを検出する。読み上げ中であれば（ステップＳ２０２で「ＹＥＳ」の場合）、ステップＳ２０３で、まず読み上げを停止し、引き続きステップＳ２０４で読み上げを停止したことを記録にとどめるための読み上げ停止フラグを記憶部１０６に保存し、ステップＳ２０５に移り録画予約された番組に選局を変更する。ステップＳ２０２で読み上げ中でなければ（「ＮＯ」の場合）、何もせずにそのままステップＳ２０５に移り録画予約された番組に選局を変更する。ここで、読み上げ停止フラグには、停止された番組の番組識別ＩＤ、サービス識別ＩＤ、および中断されたときの時刻情報を含むようにすれば、後述する読み上げ再開の時に都合が良い。
【００５７】
次にステップＳ２０６に移り、録画予約された番組の番組情報を記憶部１０６から取得し、ステップＳ２０７で取得した番組情報に基づいて番組情報の読み上げを始める。録画予約番組の番組情報の読み上げが終わると、ステップＳ２０８に移り、読み上げ停止フラグが保存されているか検出する。保存されていれば（ステップＳ２０８で「ＹＥＳ」の場合）、録画予約番組の視聴の直前に視聴していた番組の番組情報読み上げが途中で停止されたことを示しているので、ステップＳ２０９で改めてもとの番組の番組情報を記憶部１０６から取得し、ステップＳ２１０でその読み上げを行う。読み上げ停止フラグが保存されていなければ（ステップＳ２０８で「ＮＯ」の場合）、録画予約番組の視聴の直前に視聴していた番組の番組情報読み上げが途中で停止されていないことを示しているので、そのまま処理を終了する。
【００５８】
このように本実施の形態におけるデジタル放送受信装置２００によれば、録画予約番組の選局という、一種の割り込み動作が発生し、番組情報の読み上げが中断された場合でも、録画予約番組の番組情報読み上げが終われば、もとの番組の番組情報読み上げを再開して、読み上げの項目の欠落を防ぐことができる。
【００５９】
なお、上記実施の形態２では元の番組の番組情報読み上げ再開の対象は番組情報全体を想定して説明したが、実施の形態１における図２の手順で説明したように、番組情報を構成する項目を優先度グループに分けて、いずれかの優先度グループを読み切るところまでを対象にしても良い。
【００６０】
（実施の形態３）
図８は本発明の実施の形態３におけるデジタル放送受信装置３００の構成例を示すブロック図である。外部機器からの映像コンテンツ入力機能を備えたデジタル放送受信装置３００は、機器間通信制御部１３０が追加された点、およびその機器間通信制御部１３０の動作に関する制御機能を加えた制御を行うために制御部１１６が制御部１３１に変更された点以外は、実施の形態１で説明した図１のデジタル放送受信装置１００と同様の構成である。ここでは、デジタル放送受信装置１００と同様の構成については、同様の機能であるため説明を省略し、デジタル放送受信装置１００と異なる構成について、詳しく説明する。
【００６１】
ある番組の番組情報を付加音声生成部１０８が付加音声を生成中、すなわち番組情報の読み上げ中に、外部機器３１０（例えばＤＶＤプレーヤ）からの映像・音声入力に切替えられた場合、機器間通信制御部１３０がその入力映像・音声を選択するために、入力切替指示を制御部１３１に出力する。外部機器３１０への入力切替は切替指示に従って短時間で反応動作しなければならないので、制御部１３１は付加音声生成部１０８における現番組の番組情報の読み上げを停止させる。同時に読み上げを中止したことを示す読上げ停止フラグを記憶部１０６に保存する。
【００６２】
引き続いて、制御部１３１は機器間通信制御部１３０からの入力切替指示に従い信号分離部１０２を制御する。すなわち信号分離部１０２は放送信号のＴＳではなく、外部機器３１０からのＴＳあるいはＰＳ（Ｐｒｏｇｒａｍ  Ｓｔｒｅａｍ）を入力し、分離する。これにより外部入力された映像・音声の再生が始まる。外部機器３１０からの映像・音声入力によるコンテンツの場合、一般的には放送波のように番組情報は含まれないので、番組情報の表示や音声読み上げではなく、どのような外部機器からのコンテンツであるかを表示、および読み上げるのが適当である。例えばＤＶＤプレーヤ、ハードディスク型映像レコーダ、ビデオカメラ、パーソナルコンピュータ、ケールテレビ専用受信機、衛星放送受信機などが挙げられる。また外部機器名ではなく接続手段名を読み上げることも可能である。外部機器３１０とデジタル放送受信装置３００との接続は、アナログの映像・音声接続コード、ＩＥＥＥ１３９４規格の接続、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、イーサネット（登録商標）ケーブルや無線ＬＡＮによるＩＰ接続が利用されるので、そのような接続名を読み上げてもよい。
【００６３】
選択された外部機器３１０の名称あるいは接続手段の名称は、機器間通信制御部１３０から出力されて、付加画像生成部１０７で画像生成されて表示される一方、付加音声生成部１０８から出力されて読み上げられる。読み上げが終了すると、制御部１３１は記憶部１０６の中に読み上げ停止フラグが保存されていないか検出し、保存されていれば、入力切替の直前に読み上げていた番組の番組情報を、中断されていた項目から読み上げ再開する。これにより、読み上げが開始された番組情報は、一旦入力切替機能で中断されても、中断ののち再開して読み切ることが可能となる。
【００６４】
図９は図８の構成例によるデジタル放送受信装置３００の番組情報読み上げ動作を説明するフローチャートである。ステップＳ３０１で入力切替要求があるかを検出する。切替要求があると（ステップＳ３０１で「ＹＥＳ」の場合）、ステップＳ３０２で番組情報の読み上げ中か否かを検出する。読み上げ中であれば（ステップＳ３０２で「ＹＥＳ」の場合）、ステップＳ３０３で、まず読み上げを停止し、引き続きステップＳ３０４で読み上げを停止したことを記録にとどめるための読み上げ停止フラグを記憶部１０６に保存し、ステップＳ３０５に移り録画予約された番組に選局を変更する。ステップＳ３０２で読み上げ中でなければ（「ＮＯ」の場合）、何もせずにそのままステップＳ３０５に移り入力切替された映像・音声入力を選択する。読み上げ停止フラグの内容は、図７の説明で記載したものと同一である。
【００６５】
次にステップＳ３０６に移り、外部機器３１０あるいは外部機器接続手段の名称を機器間通信制御部１３０から取得し、ステップＳ３０７で取得した名称に基づいてその名称の読み上げを行う。外部機器３１０あるいは外部機器接続手段の名称の読み上げが終わると、ステップＳ３０８に移り、読み上げ停止フラグが保存されているか検出する。保存されていれば（ステップＳ３０８で「ＹＥＳ」の場合）、入力切替の直前に視聴していた番組の番組情報読み上げが途中で停止されたことを示しているので、ステップＳ３０９で改めてもとの番組の番組情報を記憶部１０６から取得し、ステップＳ３１０でその読み上げを行う。読み上げ停止フラグが保存されていなければ（ステップＳ３０８で「ＮＯ」の場合）、入力切替の直前に視聴していた番組の番組情報読み上げが途中で停止されていないことを示しているので、そのまま処理を終了する。
【００６６】
このように本実施の形態におけるデジタル放送受信装置３００によれば、入力切替という、一種の割り込み動作が発生し、番組情報の読み上げが中断された場合でも、外部機器あるいは外部機器接続手段の名称読み上げが終われば、もとの番組の番組情報読み上げを再開して、読み上げの項目の欠落を防ぐことができる。
【００６７】
なお、上記実施の形態３では元の番組の番組情報読み上げ再開の対象は番組情報全体を想定して説明したが、実施の形態１における図２の手順で説明したように、番組情報を構成する項目を優先度グループに分けて、いずれかの優先度グループを読み切るところまでを対象にしても良いことは、実施の形態２の場合と同様である。
【産業上の利用可能性】
【００６８】
本発明は、デジタル放送受信装置にとどまらず、例えば、選局した放送の番組情報を表示し、この表示された番組情報の音声読み上げ機能を備える映像機器一般に広く利用可能である。
【符号の説明】
【００６９】
１００，２００，３００    デジタル放送受信装置
１０１    受信選局部
１０２    信号分離部
１０３    映像デコーダ部
１０４    音声デコーダ部
１０５    番組情報選択部
１０６    記憶部
１０７    付加画像生成部
１０８    付加音声生成部
１０９    映像合成部
１１０    音声合成部
１１１    映像出力部
１１２    音声出力部
１１３    表示部
１１４    スピーカー（音声再生部）
１１５    選局操作入力部
１１６，１２１，１３１  制御部
１２０    録画予約制御部
１３０    機器間通信制御部
３１０    外部機器
【図１】
2011142129.tif 000003
【図２】
2011142129.tif 000004
【図３】
2011142129.tif 000005
【図４】
2011142129.tif 000006
【図５】
2011142129.tif 000007
【図６】
2011142129.tif 000008
【図７】
2011142129.tif 000009
【図８】
2011142129.tif 000010
【図９】
2011142129.tif 000011
【図１０】
2011142129.tif 000012
【図１１】
2011142129.tif 000013
【手続補正書】
【提出日】平成24年10月24日(2012.10.24)
【手続補正１】
【補正対象書類名】明細書
【補正対象項目名】全文
【補正方法】変更
【補正の内容】
【発明の詳細な説明】
【技術分野】
【０００１】
本発明は、番組情報が表示された補助画面や電子番組表（以下、「ＥＰＧ」と呼ぶ）の内容を音声で読み上げて視聴者に伝える機能を有するデジタル放送受信装置及びデジタル放送受信方法に関する。
【背景技術】
【０００２】
近年のデジタル放送受信装置やテレビ放送番組を録画する放送録画装置では、放送番組の映像音声信号に多重されて送られてくるデータ信号を用いて、放送番組の番組情報を番組画面中の一部に補助画面として表示する機能や、画面全体に番組表を表示するＥＰＧ機能が広く普及して搭載されている。視聴者は新聞や雑誌の番組欄を開けることなく、現在放送中あるいは今後放送予定の番組を簡単に把握できるとともに、見逃しを防ぐための視聴予約や、不在時などに希望番組を録画するための録画予約を簡単な操作で行えるという大きな利点がある。
【０００３】
一方、視力が著しく低下した視聴者や、視覚に障害を持つ視聴者にとっては、比較的小さな文字でぎっしり書き込まれた補助画面やＥＰＧ画面は大変見づらく、使い勝手の悪いものになっている。
【０００４】
そこで特許文献１および特許文献２では、ＥＰＧに用いられる番組情報を音声再生することにより視聴者の操作性の向上を実現している。すなわち視聴者がＥＰＧ画面を表示させ、画面中の特定の番組をカーソル移動などにより選択する操作を行うと、選択された番組の概要情報を表示するとともに、その概要情報を音声によってスピーカーから再生させることを提案している。
【先行技術文献】
【特許文献】
【０００５】
【特許文献１】特開２０００−３２４４１７号公報
【特許文献２】特開２０００−１２５２２１号公報
【発明の概要】
【発明が解決しようとする課題】
【０００６】
前述のように、特許文献１および特許文献２による方法を用いれば、ＥＰＧ画面などの細かい文字を読むことなく、番組情報を聴取によって得られるという視聴者にとって使い勝手のよい操作環境を提供することが可能になっている。
【０００７】
しかしながらそれらによる方法では、番組情報の読み上げ中に選局操作やＥＰＧ画面中でのカーソル位置変更操作を行うと、その読み上げが中断されて別の番組の番組情報の読み上げに移ってしまうという動作が一般的であった。
【０００８】
例えば図１０で、デジタル放送受信装置の表示部１１３で選局中の番組画面４０１を表示させながら、表示部１１３の右上に選局中の番組に対応した番組情報をオンスクリーン表示させた補助画面４０２を表示させたとする。補助画面４０２の中には、たとえばチャンネル番号、放送局名、番組名、開始・終了時間、番組の概要などが表示される。
【０００９】
補助画面４０２が表示されると同時に、音声読み上げ機能により表示内容の読み上げが開始される。この読み上げの途中で、使用者が選局操作を行い、他の放送局の番組を選択すると、表示部１１３の番組画面４０１も補助画面４０２の番組情報も新たに選択された番組の内容に変更される。音声読み上げも補助画面４０２の更新に伴い新たな補助画面４０２の番組情報の読み上げを開始する。
【００１０】
一般に表示された文字情報を視覚的に読み取るのに必要な時間に比べて、それを読み上げる時間は長くかかるため、補助画面４０２を一瞥してほぼ把握したと感じて他の放送局への選局操作を行った時点では、補助画面４０２の音声読み上げは完了しておらず、読み上げ途中であることがしばしば生じる。また視覚的な読み取りでは、見落としや読み間違いが起こりやすいのに比べ、音声聞き取りでは全文を必ず読み上げていくこと、およびその読み上げ速度が視覚的読み取りよりも低いこともあって、聞き落としや聞き間違えの確率が低い。そのため視覚的に把握したと感じて次の選局に移る操作を行う直前に、読み上げ内容を聞いて番組の重要性や興味の高さに気付き、最後まで聞き取ろうと行動変更の必要が出てくることが起こる。しかし選局操作が先行してしまい、新たな番組を選択後にもう一度直前の番組に戻る操作を行わなければならない事態が生じる。
【００１１】
また使用者がＥＰＧ機能を使って選局する場合にも同様の問題が発生する。すなわち、この場合には表示部１１３には図１１に示すＥＰＧ画面４０３が表示され、例えば、カーソル４０４で選択された番組Ｃ２がハイライト表示されて、番組Ｃ２の番組情報が音声で読み上げられる。番組Ｃ２の番組情報の読み上げ途中で、使用者がカーソル移動で他の放送局の番組を選択すると、番組Ｃ２の番組情報の読み上げが終了する前に、新しく選択された番組の番組情報の読み上げを開始する。
【００１２】
音声読み上げが中断される場合としては、上記の使用者による選局操作だけでなく、次のような場合もある。放送途中に緊急放送などで、割り込みの音声が入ったり、あるいは強制的に他の局への選局が行われる場合がある。あるいは録画機能を内蔵したデジタル放送受信装置であって、設定した録画予約時間になったときに視聴中の番組から予約した番組に選局が変更される場合がある。また他の例としては、使用者がデジタル放送受信装置の入力切り替え動作によって、放送番組視聴から例えばＤＶＤプレーヤやケーブルテレビジョン受信装置からの映像信号に切り替えた場合などでも音声読み上げが中断されてしまう。
【００１３】
本発明はこのような課題を解決するためになされたものであり、補助画面やＥＰＧなどに表示されている番組情報の音声読み上げ中に新たな選局操作が行われた場合でも、必要最低限の番組情報は必ず音声読み上げを行うことができるデジタル放送受信装置及びデジタル放送受信方法を提供することを目的とする。
【課題を解決するための手段】
【００１４】
上記目的を達成するために、本発明の第１の局面におけるデジタル放送受信装置は、放送信号を選局する受信選局部と、選局された放送信号を番組映像データと番組音声データと番組情報を表す番組情報データとに分離する信号分離部と、番組映像データをデコードして番組映像信号を出力する映像デコーダ部と、番組音声データをデコードして番組音声信号を出力する音声デコーダ部と、番組情報データに含まれる番組情報の複数の項目を、読み上げる優先度が付与された複数の優先度別グループに分類した状態で、番組情報データを管理する記憶部と、番組情報データを用いて番組情報読み上げ音声を生成する付加音声生成部と、番組情報データを用いて番組情報画像を生成する付加画像生成部と、番組情報読み上げ音声を出力する音声出力部と、番組情報画像を出力する映像出力部と、使用者による選局操作が入力される選局操作入力部と、視聴中番組の番組情報データに含まれる番組情報の項目を音声出力部から読み上げ途中に、選局操作入力部に視聴中番組を前記視聴中番組以外の他の番組に切り替える選局操作が入力された場合に、音声読み上げ途中の項目が分類された優先度別グループの優先度に応じて、音声読み上げ途中の項目の読み上げ音声の出力継続または出力停止を制御する制御部と、を具備することを特徴とする。
【００１５】
これにより、番組情報の読み上げ中に他の映像コンテンツに表示が切り替わった場合であっても、番組情報中の重要情報を読み上げる機会を確保した番組情報読み上げ機能を実現できる。
【００１６】
また本発明の第２の局面におけるデジタル放送受信装置では、本発明の第１の局面におけるデジタル放送受信装置において、制御部は、音声出力部が所定優先度以上の優先度別グループに分類された項目の音声読み上げ途中は、所定優先度以上の優先度別グループ内のすべての項目の読み上げを終了するまでは、選局操作入力部における他の番組への選局操作を保留するよう制御する、ことを特徴とする。
【００１７】
これにより、番組情報の読み上げ中に他の番組に移る選局操作をした場合でも、区切りの良いところまでの読み上げを優先して行うことができる。
【００１８】
また本発明の第３の局面におけるデジタル放送受信装置では、本発明の第１の局面におけるデジタル放送受信装置において、視聴予約機能あるいは録画予約機能を有する録画予約制御部をさらに備え、視聴中番組の番組情報データの番組情報を音声読み上げ途中に、録画予約制御部によって視聴中番組が視聴予約した番組あるいは録画予約した番組に切り替わる場合に、制御部は、視聴中番組の番組情報データの番組情報の音声読み上げを中断し、視聴予約した番組あるいは録画予約した番組に対応する番組情報データの番組情報の音声読み上げ終了後に、視聴中番組の番組情報データの番組情報の音声読み上げを再開する、ことを特徴とする。
【００１９】
これにより、番組情報の読み上げ中に予約番組に切り替わった場合でも、一旦予約番組の読み上げに変更するが、その後もとの番組情報の読み上げに復帰して、読み上げを完了することができる。
【００２０】
また本発明の第４の局面におけるデジタル放送受信装置では、本発明の第１の局面におけるデジタル放送受信装置において、外部機器の映像信号を入力する機器間通信制御部をさらに備え、視聴中番組の番組情報データの番組情報を音声読み上げ途中に、機器間通信制御部によって視聴中番組が外部機器の映像信号に基づく映像に切り替わる場合に、制御部は、視聴中番組の番組情報データの番組情報の音声読み上げを中断し、外部機器の映像信号に対応する所定の情報の音声読み上げ終了後に、視聴中番組の番組情報データの番組情報の音声読み上げを再開する、ことを特徴とする。
【００２１】
これにより、番組情報の読み上げ中にデジタル放送受信装置の外部映像入力に切替えた場合でも、一旦外部映像機器名などの読み上げに変更するが、その後もとの番組情報の読み上げを再開して、読み上げを完了することができる。
【００２２】
本発明の第５の局面におけるデジタル放送受信方法は、放送信号を選局する受信選局ステップと、放送信号を番組映像データと番組音声データと番組情報を表す番組情報データとに分離する信号分離ステップと、番組情報データに含まれる番組情報の複数の項目を、読み上げる優先度が付与された複数の優先度別グループに分類した状態で、番組情報データを管理する記憶ステップと、番組情報データを用いて番組情報読み上げ音声を生成する付加音声生成ステップと、番組情報データを用いて番組情報画像を生成する付加画像生成ステップと、番組情報読み上げ音声を出力する音声出力ステップと、番組情報画像を出力する映像出力ステップと、視聴中番組の番組情報データに含まれる番組情報の項目を音声出力ステップにおいて読み上げ途中に、視聴中番組を視聴中番組以外の他の番組に切り替える選局操作が入力された場合に、音声読み上げ途中の項目が分類された優先度別グループの優先度に応じて、音声読み上げ途中の項目の読み上げ音声の出力継続または出力停止を制御する制御ステップと、を含むことを特徴とする。
【００２３】
また本発明の第６の局面におけるデジタル放送受信方法では、本発明の第５の局面におけるデジタル放送受信方法において、制御ステップは、音声出力ステップにおいて所定優先度以上の優先度別グループ分類された項目の音声読み上げ途中は、所定優先度以上の優先度別グループ内のすべての項目の読み上げを終了するまでは、他の番組への選局操作を保留するよう制御する、ことを特徴とする。
【００２４】
また本発明の第７の局面におけるデジタル放送受信方法では、本発明の第５の局面におけるデジタル放送受信方法において、視聴予約機能あるいは録画予約機能を有する録画予約制御ステップをさらに備え、視聴中番組の番組情報データの番組情報を音声読み上げ途中に、録画予約制御ステップにおいて視聴中番組が視聴予約した番組あるいは録画予約した番組に切り替わる場合に、制御ステップは、視聴中番組の番組情報データの番組情報の音声読み上げを中断し、視聴予約した番組あるいは録画予約した番組に対応する番組情報データの番組情報の音声読み上げ終了後に、視聴中番組の番組情報データの番組情報の音声読み上げを再開する、ことを特徴とする。
【００２５】
また本発明の第８の局面におけるデジタル放送受信方法では、本発明の第５の局面におけるデジタル放送受信方法において、外部機器の映像信号を入力する機器間通信制御ステップをさらに備え、視聴中番組の番組情報データの番組情報を音声読み上げ途中に、機器間通信制御ステップにおいて視聴中番組が前記外部機器の映像信号に切り替わる場合に、制御ステップは、視聴中番組の番組情報データの番組情報の音声読み上げを中断し、外部機器の映像信号に対応する所定の情報の音声読み上げ終了後に、視聴中番組の番組情報データの番組情報の音声読み上げを再開する、ことを特徴とする。
【発明の効果】
【００２６】
本発明によれば、補助画面やＥＰＧなどに表示されている番組情報の音声読み上げ中に新たな選局操作が行われた場合でも、必要最低限の番組情報は必ず音声読み上げを行うことができる。
【図面の簡単な説明】
【００２７】
【図１】図１は、本発明の実施の形態１におけるデジタル放送受信装置の構成例を示すブロック図である。
【図２】図２は、本発明の実施の形態１におけるデジタル放送受信装置の動作を示すフローチャートである。
【図３】図３は、デジタル放送におけるＴＳのデータ構造を示す図である。
【図４】図４は、デジタル放送における番組情報データのうちサービス情報のデータ構造を示す図である。
【図５】図５は、デジタル放送における番組情報データのうち番組関連情報のデータ構造を示す図である。
【図６】図６は、本発明の実施の形態２におけるデジタル放送受信装置の構成例を示すブロック図である。
【図７】図７は、本発明の実施の形態２におけるデジタル放送受信装置の動作を示すフローチャートである。
【図８】図８は、本発明の実施の形態３におけるデジタル放送受信装置の構成例を示すブロック図である。
【図９】図９は、本発明の実施の形態３におけるデジタル放送受信装置の動作を示すフローチャートである。
【図１０】図１０は、番組情報を表示する補助画面のイメージ図である。
【図１１】図１１は、番組情報を表示するＥＰＧ画面のイメージ図である。
【発明を実施するための形態】
【００２８】
以下、本発明の実施の形態におけるデジタル放送受信装置について、図面を参照しながら説明する。
【００２９】
（実施の形態１）
図１は本発明の実施の形態１におけるデジタル放送受信装置１００の構成例を示すブロック図である。デジタル放送受信装置１００は、受信選局部１０１、信号分離部１０２、映像デコーダ部１０３、音声デコーダ部１０４、番組情報選択部１０５、記憶部１０６、付加画像生成部１０７、付加音声生成部１０８、映像合成部１０９、音声合成部１１０、映像出力部１１１、音声出力部１１２、表示部１１３、スピーカー１１４、選局操作入力部１１５、制御部１１６を備えている。
【００３０】
受信された放送波は受信選局部１０１において高周波増幅、選局、復調されてデジタル信号ストリームであるトランスポート・ストリーム（以下、「ＴＳ」と呼ぶ）が出力される。ＴＳは図３に示すように、ＴＳヘッダ部とＴＳペイロード部で構成され、ＴＳペイロード部は放送番組の番組映像データ、番組音声データ、および番組情報データを含んで送信されている。
【００３１】
ＴＳは信号分離部１０２において、番組映像データ、番組音声データ、および番組情報データに分離される。このうち番組映像データは映像デコーダ部１０３において非圧縮のデジタル映像信号（番組映像信号）として出力される。同様に番組音声データは音声デコーダ部１０４において非圧縮のデジタル音声信号（番組音声信号）として出力される。わが国のデジタルテレビ放送では映像、音声の圧縮として主にＭＰＥＧ方式が採用されているので、映像デコーダ部１０３、音声デコーダ部１０４は通常、ＭＰＥＧ方式のデコーダとなる。
【００３２】
信号分離部１０２から取り出される番組情報データは、サービス情報と番組関連情報とによって構成され、それぞれの詳細なデータ構造を図４と図５に示す。まずサービス情報のデータ構造を図４に示す。全体はＳＤＴ（Ｓｅｒｖｉｃｅ  Ｄｅｓｃｒｉｐｔｉｏｎ  Ｔａｂｌｅ：サービス記述テーブル）識別情報部と、サービス情報部で構成される。ＳＤＴ識別情報は、ＴＳに含まれるサービスに関連する情報を定義するデータである。ＳＤＴ識別情報部はＳＤＴ識別ＩＤとＳＤＴデータ長に引き続き、ＴＳ識別ＩＤで構成される。サービス情報は、サービス識別ＩＤ、サービス形式種別ＩＤ（サービスの種類（テレビ放送サービス、データ放送サービスなど）を識別するＩＤ）、サービス名長、サービス名などから構成される。
【００３３】
次に番組関連情報のデータ構成を図５に示す。全体はＥＩＴ（Ｅｖｅｎｔ  Ｉｎｆｏｒｍａｔｉｏｎ  Ｔａｂｌｅ：イベント情報テーブル）識別情報部と、番組情報部で構成される。ＥＩＴ識別情報は、サービスに含まれる番組に関連する情報を定義するデータである。ＥＩＴ識別情報部はＥＩＴ識別ＩＤとＥＩＴデータ長に引き続き、サービス識別ＩＤ（サービスを区別し、識別するためのＩＤ）とＴＳ識別ＩＤで構成される。番組情報は、番組識別ＩＤ、開始時刻、継続時間、番組名、番組詳細情報、などから構成される。
【００３４】
番組情報データは番組情報選択部１０５において使用者の選局操作に応じた番組情報が選択される。また番組情報は記憶部１０６に保存される。付加画像生成部１０７は、選択された番組情報に基づいて主に文字情報からなる付加画像を生成する。付加音声生成部１０８は、選択された番組情報に基づいて番組情報を読み上げるための付加音声を生成する。
【００３５】
映像合成部１０９は、番組映像と付加画像を合成する。ここで合成とは両者の信号を多重する機能、あるいは切替えていずれかを選択して出力する機能を示す。また音声合成部１１０は、番組音声と付加音声を合成する。ここで合成とは、上記の映像の場合と同様に、両者の信号を多重する機能、あるいは切替えていずれかを選択して出力する機能を示す。
【００３６】
映像出力部１１１は映像合成部１０９からの映像信号（番組映像＋付加映像）を所定の表示フォーマットに変換して表示部１１３に出力する。表示部１１３は表示デバイスであり、例えば液晶表示パネルやプラズマ表示パネルが使用される。音声出力部１１２は音声合成部１１０からの音声信号（番組音声＋付加音声）をアナログ信号に変換、増幅して音声再生部であるスピーカー１１４に出力する。スピーカー１１４は単一のスピーカーの場合もあるが、多くの場合はステレオ再生や、立体音響再生のために複数のスピーカーユニットの組合せが用いられる。
【００３７】
選局操作入力部１１５は、使用者の操作によって希望する放送局を選択するための入力手段であり、多くの場合、デジタル放送受信装置１００に付属したリモートコントロールユニットが用いられる。この場合は、厳密には選局操作入力部１１５はデジタル放送受信装置１００の外側に記載されるのが適切であるが、デジタル放送受信装置１００の機能の一部であるので、機能上装置の内部に記載している。
【００３８】
制御部１１６は、受信選局部１０１、信号分離部１０２、番組情報選択部１０５、付加画像生成部１０７、付加音声生成部１０８を制御する。いわゆるマイクロプロセッサによって実現される。実際のデジタル放送受信装置１００においては、装置内の多くの制御に関する機能を受け持つが、ここでは本発明に関わる機能についてのみ記載する。
【００３９】
以上の構成において、デジタル放送受信装置１００の動作を述べる。使用者は選局操作入力部１１５を操作して希望のチャンネル、すなわち希望の放送局を選局する。この選局操作は、通常は数字キーの押し釦操作、あるいはアップダウン釦操作によって行われる。あるいは放送波から取得した番組情報を利用して生成されたＥＰＧの表示画面におけるカーソル操作によって行われる。ＥＰＧについては既に広く普及しているので詳しく述べる必要はないが、あたかも新聞のテレビ番組欄のような表示をデジタル放送受信装置１００の画面上に表示させて、その表示内の番組をカーソルで選択することにより選局を行ったり、視聴予約、録画予約を行ったりする機能を提供する画面を指す。
【００４０】
制御部１１６は選局操作入力部１１５における操作内容を読み込んで受信選局部１０１の選局動作および信号分離部１０２の分離動作を制御する。信号分離部１０２に対して番組選択を制御するのは、１つのＴＳの中に複数の番組が含まれる場合があるので、その中の１番組を選択するのは信号分離部１０２での動作を用いるためである。また同じく信号分離部１０２に対してサービス選択を指示するのは、再生したい放送コンテンツの種類として、通常のテレビ放送だけでなく、音声専用放送や、データ放送があり、このいずれを選ぶかによって、実際に使用するＴＳ中のデータが異なるためである。
【００４１】
信号分離部１０２で分離された番組映像データ、および番組音声データは、それぞれ映像デコーダ部１０３、音声デコーダ部１０４で復号される。一方、番組情報データは、通常ＥＰＧ画面を生成するために、全ての放送局分、そして数日分の番組情報を含んでいるので、一旦記憶部１０６に保存される。保存された番組情報の中の指定された番組に該当する情報が番組情報選択部１０５において選択される。選択された番組情報に基づいて、付加画像生成部１０７において、表示部１１３に表示するための画像が生成される。前述したように、特定の番組の番組情報を番組映像表示に重畳する場合には、図１０に記載したような補助画面４０２の表示となる。またＥＰＧ画面４０３を表示させる場合には、図１１に示したように、選択した番組の部分が背景色を変化させるなどの方法でハイライト表示される。
【００４２】
一方、音声に関しては、選択された番組情報に基づいて、付加音声生成部１０８において、スピーカー１１４で読み上げるための音声が生成される。
【００４３】
生成された付加画像や付加音声はそれぞれ、映像合成部１０９、音声合成部１１０で合成され、映像出力部１１１、音声出力部１１２を介して、表示部１１３、スピーカー１１４に出力される。映像信号の合成は、図１０のように多重される場合と、図１１のように切替えてＥＰＧ表示される場合があるが、音声の場合は多重されると聞き取りにくくなるので、付加音声に切替えてスピーカー再生されるのが一般的である。なお、番組音声と付加音声を切り替える方法以外にも、番組音声と付加音声とを所定の音量割合で合成して合成音声としてスピーカー再生するようにしてもよい。
【００４４】
このように選局操作入力部１１５で特定の番組を選択すると、その番組の番組情報が表示されるとともに、スピーカー１１４において番組情報が読み上げられ始める。この読み上げが開始され、読み上げが完了してから次の選局操作が行われる場合であれば、単に前述の動作を新たに選択された番組について同様に実行すればよいが、読み上げ途中に新たな選局操作が行われたときには、読み上げの中断あるいは継続を適切に実施することが必要である。
【００４５】
図２は本実施の形態におけるデジタル放送受信装置１００の音声読み上げ制御に関するフローチャートを示す。まずこのフローチャートの動作に入る前に、読み上げ対象となる番組情報の項目をいくつかのグループに分類しておく。このグループは番組情報に含まれる項目を、利用者にとって重要と思われる優先度に応じて分類することによって形成される。当該優先度は、利用者に通知すべき重要度に応じて予め設定されていても構わないし、例えば、利用者の使用状況に応じて自由に設定変更できる構成であっても構わない。図２では３つのグループに分類されることを想定しており、例えば第１優先グループには「放送局名」を、第２優先グループには「番組名」と「放送開始・終了時刻」を、第３優先グループには「出演者」と「番組要旨」を割り当てておく、などという分類を行う。このように定義した分類は、あらかじめ制御部１１６に設定しておき、放送波から番組情報を入力する都度、分類して記憶部１０６に保存すればよい。
【００４６】
図２で、まずステップＳ１０１で使用者が希望番組の選択を行うと、ステップＳ１０２で指示された番組情報のうち第１優先度グループの項目を記憶部１０６から取得する。ここで使用者による番組の選択とは、例えばチャンネル番号の入力、チャンネルのアップダウン操作、あるいは図１１に示したＥＰＧ画面４０３によるカーソル移動で行われる。次にステップＳ１０３で第１優先度グループの項目を音声データ化して読み上げる。この後で、ステップＳ１０４で追加の選局要求があるか検出する。選局要求があれば（「ＹＥＳ」の場合）、ステップＳ１０５で指示番組を更新してステップＳ１０１に戻り、新たな番組の番組情報取得を行う。この手順により、第１優先グループの項目が読み上げ終了するまでは選局操作による新たな番組の番組情報読み上げに移らないので、最も高い優先度の項目は中断されることなく必ず読み上げられることになる。
【００４７】
ステップＳ１０４で選局要求がなければ（「ＮＯ」の場合）、ステップＳ１０６、Ｓ１０７、Ｓ１０８により、今度は第２優先度グループの項目読み上げが実行される。第１優先度グループの読み上げの場合と同様に、このグループの読み上げが一旦始まれば、読み切るまでは新たな選局要求を検出しないので、第２優先度グループの項目は中断されることなく読み上げられることになる。ステップＳ１０８で選局要求があれば（「ＹＥＳ」の場合）、ステップＳ１０５で指示番組を更新してステップＳ１０１に戻り、新たな番組の番組情報取得を行う。
【００４８】
ステップＳ１０８で選局要求がなければ（「ＮＯ」の場合）、ステップＳ１０９、Ｓ１１０により、第３優先度グループの項目読み上げが実行され、番組情報の全項目の読みあげを完了する。この時点でステップＳ１１１に移り、受信選局部１０１、信号分離部１０２に対して選局、あるいはサービス選択の指示を出す。
【００４９】
すなわちこの時点で、表示部１１３、スピーカー１１４から新たな放送番組が再生される。ステップＳ１０５におけるチャンネルの更新は、実際の選局動作には反映せず、新たな番組の番組情報の取得にとどまる。図１１のＥＰＧ画面４０３での操作の場合を例に取ると、カーソル４０４を移動する動作には反映させ、それに応じた読み上げが行われるが、実際の放送局や番組の更新が行われて新たな映像音声の再生が行われるのはステップＳ１１１が実行されるときである。
【００５０】
なお図２のフローチャートは番組情報の読み上げに関する機能について説明したものであるので、番組情報の表示については記載していないが、選択番組の更新に伴って、例えば図１０の補助画面４０２の表示や、図１１のＥＰＧ画面中のカーソル位置を変化させる。
【００５１】
このように本実施の形態におけるデジタル放送受信装置１００によれば、補助画面やＥＰＧなどに表示されている番組情報の音声読み上げ中に新たな選局操作が行われた場合でも、必要最低限の番組情報は必ず音声読み上げを行うことが可能となる。
【００５２】
なお、上記実施の形態１では読み上げ対象となる番組情報の項目を優先度の異なる３つのグループに分類しておくとしたが、あくまで一例あり、グループの数はこれに限定されるものではない。また、何を優先するかは使用者が指定できるようにしてもよい。
【００５３】
（実施の形態２）
図６は本発明の実施の形態２におけるデジタル放送受信装置２００の構成例を示すブロック図である。録画予約機能（視聴予約機能を含む）を備えたデジタル放送受信装置２００は、録画予約制御部１２０が追加された点、およびその録画予約制御部１２０の動作に関する制御機能を加えた制御を行うために制御部１１６が制御部１２１に変更された点以外は、実施の形態１で説明した図１のデジタル放送受信装置１００と同様の構成である。ここでは、デジタル放送受信装置１００と同様の構成については、同様の機能であるため説明を省略し、デジタル放送受信装置１００と異なる構成について、詳しく説明する。
【００５４】
ある番組の番組情報を付加音声生成部１０８が付加音声を生成中、すなわち番組情報の読み上げ中に、録画予約、あるいは視聴予約した時刻になった場合（以下、視聴予約も含めて録画予約と記載する）、録画予約制御部１２０がその予約番組を選局するために、選局指示を制御部１２１に出力する。録画予約機能は設定時刻になると時刻に正確に動作しなければならないので、制御部１２１は付加音声生成部１０８における現番組の番組情報の読み上げを停止させる。同時に読み上げを中止したことを示す読上げ停止フラグを記憶部１０６に保存する。
【００５５】
引き続いて、制御部１２１は録画予約制御部１２０からの選局指示に従い受信選局部１０１、および信号分離部１０２を制御する。これにより予約された番組の受信と再生が始まり、これに合わせて予約された番組の番組情報が記憶部１０６から読み出される。予約された（選択された）番組の番組情報は、番組情報選択部１０５から出力されて、付加画像生成部１０７で画像生成されて表示される一方、付加音声生成部１０８から出力されて読み上げられる。読み上げが終了すると、制御部１２１は記憶部１０６の中に読み上げ停止フラグが保存されていないか検出し、保存されていれば、予約番組選局の直前に読み上げていた番組の番組情報を、中断されていた項目から読み上げ再開する。これにより、読み上げが開始された番組情報は、一旦録画予約機能などで中断されても、中断ののち再開して読み切ることが可能となる。
【００５６】
図７は図６の構成例によるデジタル放送受信装置２００の番組情報読み上げ動作を説明するフローチャートである。ステップＳ２０１で設定した録画予約時間であるかを検出する。録画予約時間になると（ステップＳ２０１で「ＹＥＳ」の場合）、ステップＳ２０２で番組情報の読み上げ中か否かを検出する。読み上げ中であれば（ステップＳ２０２で「ＹＥＳ」の場合）、ステップＳ２０３で、まず読み上げを停止し、引き続きステップＳ２０４で読み上げを停止したことを記録にとどめるための読み上げ停止フラグを記憶部１０６に保存し、ステップＳ２０５に移り録画予約された番組に選局を変更する。ステップＳ２０２で読み上げ中でなければ（「ＮＯ」の場合）、何もせずにそのままステップＳ２０５に移り録画予約された番組に選局を変更する。ここで、読み上げ停止フラグには、停止された番組の番組識別ＩＤ、サービス識別ＩＤ、および中断されたときの時刻情報を含むようにすれば、後述する読み上げ再開の時に都合が良い。
【００５７】
次にステップＳ２０６に移り、録画予約された番組の番組情報を記憶部１０６から取得し、ステップＳ２０７で取得した番組情報に基づいて番組情報の読み上げを始める。録画予約番組の番組情報の読み上げが終わると、ステップＳ２０８に移り、読み上げ停止フラグが保存されているか検出する。保存されていれば（ステップＳ２０８で「ＹＥＳ」の場合）、録画予約番組の視聴の直前に視聴していた番組の番組情報読み上げが途中で停止されたことを示しているので、ステップＳ２０９で改めてもとの番組の番組情報を記憶部１０６から取得し、ステップＳ２１０でその読み上げを行う。読み上げ停止フラグが保存されていなければ（ステップＳ２０８で「ＮＯ」の場合）、録画予約番組の視聴の直前に視聴していた番組の番組情報読み上げが途中で停止されていないことを示しているので、そのまま処理を終了する。
【００５８】
このように本実施の形態におけるデジタル放送受信装置２００によれば、録画予約番組の選局という、一種の割り込み動作が発生し、番組情報の読み上げが中断された場合でも、録画予約番組の番組情報読み上げが終われば、もとの番組の番組情報読み上げを再開して、読み上げの項目の欠落を防ぐことができる。
【００５９】
なお、上記実施の形態２では元の番組の番組情報読み上げ再開の対象は番組情報全体を想定して説明したが、実施の形態１における図２の手順で説明したように、番組情報を構成する項目を優先度グループに分けて、いずれかの優先度グループを読み切るところまでを対象にしても良い。
【００６０】
（実施の形態３）
図８は本発明の実施の形態３におけるデジタル放送受信装置３００の構成例を示すブロック図である。外部機器からの映像コンテンツ入力機能を備えたデジタル放送受信装置３００は、機器間通信制御部１３０が追加された点、およびその機器間通信制御部１３０の動作に関する制御機能を加えた制御を行うために制御部１１６が制御部１３１に変更された点以外は、実施の形態１で説明した図１のデジタル放送受信装置１００と同様の構成である。ここでは、デジタル放送受信装置１００と同様の構成については、同様の機能であるため説明を省略し、デジタル放送受信装置１００と異なる構成について、詳しく説明する。
【００６１】
ある番組の番組情報を付加音声生成部１０８が付加音声を生成中、すなわち番組情報の読み上げ中に、外部機器３１０（例えばＤＶＤプレーヤ）からの映像・音声入力に切替えられた場合、機器間通信制御部１３０がその入力映像・音声を選択するために、入力切替指示を制御部１３１に出力する。外部機器３１０への入力切替は切替指示に従って短時間で反応動作しなければならないので、制御部１３１は付加音声生成部１０８における現番組の番組情報の読み上げを停止させる。同時に読み上げを中止したことを示す読上げ停止フラグを記憶部１０６に保存する。
【００６２】
引き続いて、制御部１３１は機器間通信制御部１３０からの入力切替指示に従い信号分離部１０２を制御する。すなわち信号分離部１０２は放送信号のＴＳではなく、外部機器３１０からのＴＳあるいはＰＳ（Ｐｒｏｇｒａｍ  Ｓｔｒｅａｍ）を入力し、分離する。これにより外部入力された映像・音声の再生が始まる。外部機器３１０からの映像・音声入力によるコンテンツの場合、一般的には放送波のように番組情報は含まれないので、番組情報の表示や音声読み上げではなく、どのような外部機器からのコンテンツであるかを表示、および読み上げるのが適当である。例えばＤＶＤプレーヤ、ハードディスク型映像レコーダ、ビデオカメラ、パーソナルコンピュータ、ケールテレビ専用受信機、衛星放送受信機などが挙げられる。また外部機器名ではなく接続手段名を読み上げることも可能である。外部機器３１０とデジタル放送受信装置３００との接続は、アナログの映像・音声接続コード、ＩＥＥＥ１３９４規格の接続、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、イーサネット（登録商標）ケーブルや無線ＬＡＮによるＩＰ接続が利用されるので、そのような接続名を読み上げてもよい。
【００６３】
選択された外部機器３１０の名称あるいは接続手段の名称は、機器間通信制御部１３０から出力されて、付加画像生成部１０７で画像生成されて表示される一方、付加音声生成部１０８から出力されて読み上げられる。読み上げが終了すると、制御部１３１は記憶部１０６の中に読み上げ停止フラグが保存されていないか検出し、保存されていれば、入力切替の直前に読み上げていた番組の番組情報を、中断されていた項目から読み上げ再開する。これにより、読み上げが開始された番組情報は、一旦入力切替機能で中断されても、中断ののち再開して読み切ることが可能となる。
【００６４】
図９は図８の構成例によるデジタル放送受信装置３００の番組情報読み上げ動作を説明するフローチャートである。ステップＳ３０１で入力切替要求があるかを検出する。切替要求があると（ステップＳ３０１で「ＹＥＳ」の場合）、ステップＳ３０２で番組情報の読み上げ中か否かを検出する。読み上げ中であれば（ステップＳ３０２で「ＹＥＳ」の場合）、ステップＳ３０３で、まず読み上げを停止し、引き続きステップＳ３０４で読み上げを停止したことを記録にとどめるための読み上げ停止フラグを記憶部１０６に保存し、ステップＳ３０５に移り録画予約された番組に選局を変更する。ステップＳ３０２で読み上げ中でなければ（「ＮＯ」の場合）、何もせずにそのままステップＳ３０５に移り入力切替された映像・音声入力を選択する。読み上げ停止フラグの内容は、図７の説明で記載したものと同一である。
【００６５】
次にステップＳ３０６に移り、外部機器３１０あるいは外部機器接続手段の名称を機器間通信制御部１３０から取得し、ステップＳ３０７で取得した名称に基づいてその名称の読み上げを行う。外部機器３１０あるいは外部機器接続手段の名称の読み上げが終わると、ステップＳ３０８に移り、読み上げ停止フラグが保存されているか検出する。保存されていれば（ステップＳ３０８で「ＹＥＳ」の場合）、入力切替の直前に視聴していた番組の番組情報読み上げが途中で停止されたことを示しているので、ステップＳ３０９で改めてもとの番組の番組情報を記憶部１０６から取得し、ステップＳ３１０でその読み上げを行う。読み上げ停止フラグが保存されていなければ（ステップＳ３０８で「ＮＯ」の場合）、入力切替の直前に視聴していた番組の番組情報読み上げが途中で停止されていないことを示しているので、そのまま処理を終了する。
【００６６】
このように本実施の形態におけるデジタル放送受信装置３００によれば、入力切替という、一種の割り込み動作が発生し、番組情報の読み上げが中断された場合でも、外部機器あるいは外部機器接続手段の名称読み上げが終われば、もとの番組の番組情報読み上げを再開して、読み上げの項目の欠落を防ぐことができる。
【００６７】
なお、上記実施の形態３では元の番組の番組情報読み上げ再開の対象は番組情報全体を想定して説明したが、実施の形態１における図２の手順で説明したように、番組情報を構成する項目を優先度グループに分けて、いずれかの優先度グループを読み切るところまでを対象にしても良いことは、実施の形態２の場合と同様である。
【産業上の利用可能性】
【００６８】
本発明は、デジタル放送受信装置にとどまらず、例えば、選局した放送の番組情報を表示し、この表示された番組情報の音声読み上げ機能を備える映像機器一般に広く利用可能である。
【符号の説明】
【００６９】
１００，２００，３００    デジタル放送受信装置
１０１    受信選局部
１０２    信号分離部
１０３    映像デコーダ部
１０４    音声デコーダ部
１０５    番組情報選択部
１０６    記憶部
１０７    付加画像生成部
１０８    付加音声生成部
１０９    映像合成部
１１０    音声合成部
１１１    映像出力部
１１２    音声出力部
１１３    表示部
１１４    スピーカー（音声再生部）
１１５    選局操作入力部
１１６，１２１，１３１  制御部
１２０    録画予約制御部
１３０    機器間通信制御部
３１０    外部機器
【手続補正２】
【補正対象書類名】特許請求の範囲
【補正対象項目名】全文
【補正方法】変更
【補正の内容】
【特許請求の範囲】
【請求項１】
放送信号を選局する受信選局部と、
選局された前記放送信号を番組映像データと番組音声データと番組情報を表す番組情報データとに分離する信号分離部と、
前記番組映像データをデコードして番組映像信号を出力する映像デコーダ部と、
前記番組音声データをデコードして番組音声信号を出力する音声デコーダ部と、
前記番組情報データに含まれる前記番組情報の複数の項目を、読み上げる優先度が付与された複数の優先度別グループに分類した状態で、前記番組情報データを管理する記憶部と、
前記番組情報データを用いて番組情報読み上げ音声を生成する付加音声生成部と、
前記番組情報データを用いて番組情報画像を生成する付加画像生成部と、
前記番組情報読み上げ音声を出力する音声出力部と、
前記番組情報画像を出力する映像出力部と、
使用者による選局操作が入力される選局操作入力部と、
視聴中番組の番組情報データに含まれる番組情報の項目を前記音声出力部から読み上げ途中に、前記選局操作入力部に前記視聴中番組を前記視聴中番組以外の他の番組に切り替える選局操作が入力された場合に、前記音声読み上げ途中の項目が分類された優先度別グループの優先度に応じて、前記音声読み上げ途中の項目の読み上げ音声の出力継続または出力停止を制御する制御部と、を具備することを特徴とするデジタル放送受信装置。
【請求項２】
前記制御部は、前記音声出力部が前記所定優先度以上の優先度別グループに分類された項目の音声読み上げ途中は、前記所定優先度以上の優先度別グループ内のすべての項目の読み上げを終了するまでは、前記選局操作入力部における前記他の番組への選局操作を保留するよう制御する、ことを特徴とする請求項１に記載のデジタル放送受信装置。
【請求項３】
視聴予約機能あるいは録画予約機能を有する録画予約制御部をさらに備え、
前記視聴中番組の番組情報データの番組情報を音声読み上げ途中に、前記録画予約制御部によって前記視聴中番組が視聴予約した番組あるいは録画予約した番組に切り替わる場合に、前記制御部は、前記視聴中番組の番組情報データの番組情報の音声読み上げを中断し、前記視聴予約した番組あるいは前記録画予約した番組に対応する番組情報データの番組情報の音声読み上げ終了後に、前記視聴中番組の番組情報データの番組情報の音声読み上げを再開する、ことを特徴とする請求項１に記載のデジタル放送受信装置。
【請求項４】
外部機器の映像信号を入力する機器間通信制御部をさらに備え、
前記視聴中番組の番組情報データの番組情報を音声読み上げ途中に、前記機器間通信制御部によって前記視聴中番組が前記外部機器の映像信号に基づく映像に切り替わる場合に、前記制御部は、前記視聴中番組の番組情報データの番組情報の音声読み上げを中断し、前記外部機器の映像信号に対応する所定の情報の音声読み上げ終了後に、前記視聴中番組の番組情報データの番組情報の音声読み上げを再開する、ことを特徴とする請求項１に記載のデジタル放送受信装置。
【請求項５】
放送信号を選局する受信選局ステップと、
放送信号を番組映像データと番組音声データと番組情報を表す番組情報データとに分離する信号分離ステップと、
前記番組情報データに含まれる前記番組情報の複数の項目を、読み上げる優先度が付与された複数の優先度別グループに分類した状態で、前記番組情報データを管理する記憶ステップと、
前記番組情報データを用いて番組情報読み上げ音声を生成する付加音声生成ステップと、
前記番組情報データを用いて番組情報画像を生成する付加画像生成ステップと、
前記番組情報読み上げ音声を出力する音声出力ステップと、
前記番組情報画像を出力する映像出力ステップと、
視聴中番組の番組情報データに含まれる番組情報の項目を前記音声出力ステップにおいて読み上げ途中に、前記視聴中番組を前記視聴中番組以外の他の番組に切り替える選局操作が入力された場合に、前記音声読み上げ途中の項目が分類された優先度別グループの優先度に応じて、前記音声読み上げ途中の項目の読み上げ音声の出力継続または出力停止を制御する制御ステップと、を含むことを特徴とするデジタル放送受信方法。
【請求項６】
前記制御ステップは、前記音声出力ステップにおいて前記所定優先度以上の優先度別グループ分類された項目の音声読み上げ途中は、前記所定優先度以上の優先度別グループ内のすべての項目の読み上げを終了するまでは、前記他の番組への選局操作を保留するよう制御する、ことを特徴とする請求項５に記載のデジタル放送受信方法。
【請求項７】
視聴予約機能あるいは録画予約機能を有する録画予約制御ステップをさらに備え、
前記視聴中番組の番組情報データの番組情報を音声読み上げ途中に、前記録画予約制御ステップにおいて前記視聴中番組が視聴予約した番組あるいは録画予約した番組に切り替わる場合に、前記制御ステップは、前記視聴中番組の番組情報データの番組情報の音声読み上げを中断し、前記視聴予約した番組あるいは前記録画予約した番組に対応する番組情報データの番組情報の音声読み上げ終了後に、前記視聴中番組の番組情報データの番組情報の音声読み上げを再開する、ことを特徴とする請求項５に記載のデジタル放送受信方法。
【請求項８】
外部機器の映像信号を入力する機器間通信制御ステップをさらに備え、
前記視聴中番組の番組情報データの番組情報を音声読み上げ途中に、前記機器間通信制御ステップにおいて前記視聴中番組が前記外部機器の映像信号に切り替わる場合に、前記制御ステップは、前記視聴中番組の番組情報データの番組情報の音声読み上げを中断し、前記外部機器の映像信号に対応する所定の情報の音声読み上げ終了後に、前記視聴中番組の番組情報データの番組情報の音声読み上げを再開する、ことを特徴とする請求項５に記載のデジタル放送受信方法。
【手続補正３】
【補正対象書類名】図面
【補正対象項目名】全図
【補正方法】変更
【補正の内容】
【図１】
2011142129.tif 000014
【図２】
2011142129.tif 000015
【図３】
2011142129.tif 000016
【図４】
2011142129.tif 000017
【図５】
2011142129.tif 000018
【図６】
2011142129.tif 000019
【図７】
2011142129.tif 000020
【図８】
2011142129.tif 000021
【図９】
2011142129.tif 000022
【図１０】
2011142129.tif 000023
【図１１】
2011142129.tif 000024
【国際調査報告】
2011142129.tif 000025
2011142129.tif 000026
2011142129.tif 000027
2011142129.tif 000028